(57)【要約】【課題】縁部材の外れを防止しながらも組み付け作業性の良好な表示装置を提供する。【解決手段】所定情報を表示する表示領域５１を有する表示素子５と、この表示素子５の前方側に配置され表示領域５１を視認可能とする開口部６１を有する表示板６と、この表示板６に装着され、開口部６１に挿入される筒状部７１と、この筒状部７１から開口部６１の前方側縁部の全周を縁取るように張り出す縁枠部７２とを有する枠状の縁部材７とを有してなる表示装置において、筒状部７１の一部であって中空部Ｓを挟んで対向する第１の壁部（所定箇所）７１１，７１２に縁枠部７１との間で開口部６１の縁を嵌め込む溝７３を形成する突出部７４を設けた。【選択図】  図１
2010151853.tif 000002
【特許請求の範囲】
【請求項１】
所定情報を表示する表示領域を有する表示素子と、
この表示素子の前方側に配置され前記表示領域を視認可能とする開口部を有する表示板と、
この表示板に装着され、前記開口部に挿入される筒状部と、この筒状部から前記開口部の前方側縁部の全周を縁取るように張り出す縁枠部とを有する枠状の縁部材とを有してなる表示装置において、
前記筒状部の一部であって中空部を挟んで対向する所定箇所に前記縁枠部との間で前記開口部の縁を嵌め込む溝を形成する突出部を設けたことを特徴とする表示装置。
【請求項２】
前記筒状部が一対の長辺に対応する一対の第１の壁部と、一対の短辺に対応する一対の第２の壁部とを有する長方形に形成され、前記第１の壁部に前記突出部を設けたことを特徴とする請求項１記載の表示装置。
【請求項３】
前記筒状部に突起部を設け、前記開口部に前記突起部が嵌る凹部を設けたことを特徴とする請求項１記載の表示装置。
【発明の詳細な説明】
【技術分野】
【０００１】
本発明は、例えば車両用計器に組み込まれる表示装置に関するものである。
【背景技術】
【０００２】
この種の表示装置として例えば下記特許文献１に記載されているものが知られている。この表示装置は、所定情報を表示する液晶からなる表示素子と、この表示素子の前方側に配置され表示板とを備え、表示素子の表示領域を表示板の開口部に臨ませてなるものである。
【０００３】
このような表示装置にあっては、装飾性や見栄えを向上させる目的から、開口部に枠状の縁部材を装着し、開口部を縁部材にて縁取ることがある。
【０００４】
この場合、縁部材を、開口部に挿入される筒状部と、この筒状部から開口部の前方側縁部の全周を覆うように張り出す縁枠部とから構成し、開口部に筒状部を挿入することにより、縁部材を表示板に装着することが考えられる。
【特許文献１】特開２００６−１９２９７３号公報
【発明の開示】
【発明が解決しようとする課題】
【０００５】
しかしながら、縁部材の筒状部を表示板の開口部に挿入する装着構造は、熱膨張や内部応力等に伴う縁部材の変形により、縁部材が表示板から外れてしまう懸念があった。この点に対処するため、筒状部に縁枠部に対して空間を空けて平行方向に延びる突出部を設け、この突出部を設けることで縁枠部との間に形成された溝に、開口部の縁を嵌め込んで、縁部材の外れを予防することが考えられるが、単に溝を設けるだけでは、作業性の悪化を招いてしまうという問題があった。
【０００６】
本発明は前述した問題点に着目し、縁部材の外れを防止しながらも組み付け作業性の良好な表示装置を提供するものである。
【課題を解決するための手段】
【０００７】
本発明は、前述した課題を解決するため、所定情報を表示する表示領域を有する表示素子と、この表示素子の前方側に配置され前記表示領域を視認可能とする開口部を有する表示板と、この表示板に装着され、前記開口部に挿入される筒状部と、この筒状部から前記開口部の前方側縁部の全周を縁取るように張り出す縁枠部とを有する枠状の縁部材とを有してなる表示装置において、前記筒状部の一部であって中空部を挟んで対向する所定箇所に前記縁枠部との間で前記開口部の縁を嵌め込む溝を形成する突出部を設けたことを特徴とする。
これによれば、溝を通じて筒状部が開口部の縁部に保持されることから変形等による縁部材の外れを防止でき、また突出部（溝）を筒状部の全周ではなく中空部を挟んで対向する所定箇所に設けたことから組み付け作業性を良好なものとすることができる。
【０００８】
また本発明は、前記筒状部が一対の長辺に対応する一対の第１の壁部と、一対の短辺に対応する一対の第２の壁部とを有する長方形に形成され、前記第１の壁部に前記突出部を設けたことを特徴とする。
これによれば筒状部を長方形にする場合、長辺であるが故に変形しやすい第１の壁部の変形を防止することができる。
【０００９】
また本発明は、前記筒状部に突起部を設け、前記開口部に前記突起部が嵌る凹部を設けたことを特徴とする。
これによれば、突起部を凹部に嵌めながら組み付けることができるため、凹部がガイドとなり、所定に位置に装着でき、作業性を更に良好にできると共に、組み付け終了後は縁部材の移動を規制し安定的に保持することができる。
【発明の効果】
【００１０】
本発明によれば、初期の目的を達成することができ、縁部材の外れを防止しながらも組み付け作業性の良好な表示装置を提供することができる。
【発明を実施するための最良の形態】
【００１１】
以下、本発明の実施の形態について添付図面を用いて説明する。
【００１２】
図１から図５は、本発明による表示装置の第１の実施形態を示すもので、図１は本実施形態による表示装置の要部断面図、図２は図１中、丸印にて囲んだ矢視エリアＡの拡大図、図３は縁部材の前方（前面）側を示す正面図、図４は縁部材の後方（背面）側を示す正面図、図５は縁部材と表示板を後方（背面）側から見たときの分解斜視図である。
【００１３】
図１において、本実施形態による表示装置は、例えば自動車用のコンビネーションメータに組み込まれるもので、回路基板１と、光源２と、計器ケース３と、ホルダー４と、表示素子５と、表示板６と、縁部材７とから構成されている。
【００１４】
回路基板１は、周知の硬質回路基板からなり、図示しない各種配線パターンや回路素子の他、例えば指針式計器の構成部品であるステッピングモータ等を有している。
【００１５】
光源２は、例えば発光ダイオードからなるもので、表示素子５を背後から照明すべく回路基板１に前面側に実装されている。
【００１６】
計器ケース３は、例えば乳白色の合成樹脂部品からなり、コンビネーションメータの骨格をなすもので、回路基板１上に配置されて表示板６を保持する。
【００１７】
ホルダー４は、例えば計器ケース３と同様の合成樹脂部品からなり、計器ケース３の切り欠き内に位置する回路基板１上に配置されて表示素子５を保持すると共に光源２の光を表示素子５に導くライトケースとして機能する。
【００１８】
表示素子５は、例えば液晶パネルからなり、電気信号入力に応じて走行距離や外気温、燃費情報等の各種車両情報（所定情報）を表示する表示領域５１を有する。なお表示素子５及び表示領域５１は、本実施形態の場合、長方形に形成されている。
【００１９】
表示板６は、透光性合成樹脂材料からなる基板に各種印刷を施してなる周知な印刷基板であり、指針式計器の一部を構成する。また計器ケース３に保持されることで表示素子５の前方側に配置され、表示素子５の表示領域５１を視認可能とする開口部６１が形成されている。開口部６１はこの場合、表示領域５１に対応した長方形形状であり、図５に示すように互いに対向する一対の長辺ＬＳと、一対の短辺ＳＳとを有している。またこれら各辺ＬＳ，ＳＳのそれぞれには、縁部材７の後述する突起部に対応した凹部６２が一つずつ形成されている。
【００２０】
縁部材７は、図３〜図５に示すように、遮光性合成樹脂材料によって開口部６１の形状に対応した長方形形状の枠に形成され、開口部６１を縁取って装飾性、見栄えを向上させるものである。
【００２１】
この縁部材７は、開口部６１に挿入される筒状部７１と、この筒状部７１の前方側端部から開口部６１の前方側縁部を縁取るように張り出す縁枠部７２と、筒状部７１の後方側端部から縁枠部７２と対向するように突出し縁枠部７２との間で開口部６１の縁を嵌め込む溝７３を形成する突出部７４とを有している。
【００２２】
筒状部７１は、開口部６１の形状に対応した長方形の筒に形成され、開口部６１の長辺ＬＳに対応する一対の第１の壁部７１１，７１２と、短辺ＳＳに対応する一対の第２の壁部７１３，７１４とを有している。
【００２３】
縁枠部７２も、開口部６１の形状に対応した長方形の枠に形成され、開口部６１の前方側縁部の全周を縁取るように形成されている。
【００２４】
突出部７４は、筒状部６１の全周ではなく、筒状部６１の一部に形成されている。具体的には、中空部Ｓを挟んで対向する第１の壁部（所定箇所）７１１，７１２に部分形成されている。
【００２５】
この突出部７４のうち、第１の壁部７１１側に形成される突出部７４は多段階に突出しており、この場合、中央部７１１ａが最も突出寸法が長く、その両脇７１１ｂが中央部よりも短い突出寸法となっており、このように多段階に突出させたことにより、溝７３を開口部６１に嵌め込む際、最初に中央部に位置する溝７３内に開口部６１が位置し、後から中央部の両脇に位置する溝７３が位置するように一部が先行して組み付けられるため、嵌め込み作業が容易に行えるようになっている。なおこのような多段階突出構成は、第１の壁部７１１側にも設定することができる。
【００２６】
また筒状部７１を構成する第１，第２の壁部７１１，７１２，７１３，７１４には、各壁の一つだけに突起部７５を設けており、この突起部７５は、筒状部７１の側方に突出するよう先端が先細りの楔形に形成され、縁部材７の表示板６への組み付け時及び組み付け後に表示板６の凹部６２に嵌るようになっている。
【００２７】
この場合、突起部７５と凹部６２の形成位置は、縁部材７を表示板６に組み付ける際、縁部材７を図５に示す位置から１８０度回転させた場合でも回転させない場合と同様に組み付けが可能となるよう、縁部材７の方向性を問わない設定となっている。
【００２８】
このように構成される本実施形態の表示装置において、縁部材７の表示板６への組み付けは、縁部材７の第１の壁部７１１，７１２の何れか一方に形成した溝７３を開口部６１の長辺ＬＳの何れか一方に嵌めた後、縁部材７の第１の壁部７１１，７１２の他方に形成した溝７３を開口部６１の長辺ＬＳの他方に嵌めることにより行われ、その際、縁部材７の突起部７５が表示板６の凹部６２に嵌ってガイドされ、縁部材７が開口部６１の所定位置に固定される。
【００２９】
以上のように本実施形態では、所定情報を表示する表示領域５１を有する表示素子５と、この表示素子５の前方側に配置され表示領域５１を視認可能とする開口部６１を有する表示板６と、この表示板６に装着され、開口部６１に挿入される筒状部７１と、この筒状部７１から開口部６１の前方側縁部の全周を縁取るように張り出す縁枠部７２とを有する枠状の縁部材７とを有してなる表示装置において、筒状部７１の一部であって中空部Ｓを挟んで対向する第１の壁部（所定箇所）７１１，７１２に縁枠部７１との間で開口部６１の縁を嵌め込む溝７３を形成する突出部７４を設けたことにより、溝７３を通じて筒状部７１が開口部６１の縁部に保持されることから変形等による縁部材７の外れを防止でき、また突出部７４（溝７３）を筒状部７１の全周ではなく中空部Ｓを挟んで対向する所定箇所に設けたことから組み付け作業性を良好なものとすることができる。
【００３０】
また本実施形態では、筒状部７１が一対の長辺ＬＳに対応する一対の第１の壁部７１１，７１２と、一対の短辺ＳＳに対応する一対の第２の壁部７１３，７１４とを有する長方形に形成され、第１の壁部７１１，７１２に突出部７４を設けたことにより、筒状部７１を長方形にする場合、長辺ＬＳであるが故に変形しやすい第１の壁部７１１，７１２の変形を防止することができる。
【００３１】
また本実施形態では、筒状部７１に突起部７５を設け、開口部６１に突起部７５が嵌る凹部６２を設けたことにより、突起部７５を凹部６２に嵌めながら組み付けることができるため、凹部６２がガイドとなり、所定に位置に装着でき、作業性を更に良好にできると共に、組み付け終了後は縁部材７の移動を規制し安定的に保持することができる。
【００３２】
図６は、本発明の第２の実施形態として縁部材７の変形例を示す正面図であり、本実施形態による縁部材７は、表示板６の開口部６１の形状に対応して楕円形に形成されており、この場合、一点鎖線の囲みにて示す領域、すなわち中空部Ｓを隔てて対向する一対の曲率の小さい延長部分に図示省略した突出部７４及び溝７３を設けたものである。
【００３３】
図７は、本発明の第３の実施形態として縁部材７の更に他の変形例を示す正面図であり、本実施形態による縁部材７は、表示板６の開口部６１の形状に対応して多角形に形成されており、この場合、一点鎖線の囲みにて示す領域、すなわち中空部Ｓを隔てて対向する長さの長い一対の延長部分に図示省略した突出部７４及び溝７３を設けたものである。
【００３４】
なお縁部材７の形状は任意であり、また突出部７４も筒状部７１の一部に設けられるものであれば形状等は任意である。
【図面の簡単な説明】
【００３５】
【図１】本発明の第１の実施形態による表示装置の要部断面図。
【図２】図１中、丸印にて囲んだ矢視エリアＡの拡大図。
【図３】本発明の第１の実施形態による縁部材の前方（前面）側を示す正面図。
【図４】本発明の第１の実施形態による縁部材の後方（背面）側を示す正面図。
【図５】本発明の第１の実施形態による縁部材と表示板を後方（背面）側から見たときの分解斜視図。
【図６】本発明の第２の実施形態として縁部材７の変形例を示す正面図。
【図７】本発明の第３の実施形態として縁部材７の変形例を示す正面図。
【符号の説明】
【００３６】
１  回路基板
２  光源
３  計器ケース
４  ホルダー
５  表示素子
６  表示板
７  縁部材
５１  表示領域
７１  筒状部
７２  縁枠部
７３  溝
７４  突出部
７５  突起部
６１  開口部
６２  凹部
７１１，７１２   第１の壁部
７１３，７１４  第２の壁部
７１１ａ  中央部
７１１ｂ  両脇
ＬＳ  長辺
ＳＳ  短辺
Ｓ  中空部
【図１】
2010151853.tif 000003
【図２】
2010151853.tif 000004
【図３】
2010151853.tif 000005
【図４】
2010151853.tif 000006
【図５】
2010151853.tif 000007
【図６】
2010151853.tif 000008
【図７】
2010151853.tif 000009